(57)【要約】【課題】学校の様々な情報を伝達するには、生徒が遠隔地等に滞在する場合には、非常に困難で学校内における学内掲示板に掲載されるため、わざわざ学校まで出向き、休講や変更があることを知ることも多く、生徒にとって、極めて労に供する。【解決手段】生徒を対象とした認証手段、送信手段、受信手段、コンテンツ提供手段、入出力手段、管理手段により、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステム。【選択図】          図１
2009009529.tif 000002
【特許請求の範囲】
【請求項１】
大学、専門学校、短期大学等の学校における学校に入学してから卒業するまでの期間の在学期間に該当する生徒を対象とし、
生徒の情報ネットワークに接続されたデータ管理サーバー及びこのデータ管理サーバーにリンクするＷＥＢを格納するＷＥＢサーバーとで構成され、
このパソコン又は携帯電話端末による通信機器でＷＥＢサーバーに格納されているＷＥＢサイトへインターネット網を介してアクセスする工程に認証物入力手段とログイン情報送信手段とログイン情報受信手段の手段を設け、
生徒のみが確認できる場所又は他のＷＥＢサイト内に認証物を公表し、生徒が確認した認証物をそのＷＥＢサイトへアクセス時に入力する認証物入力手段と、
この認証物入力手段を介してＷＥＢサイトへの通信時に、生徒が任意に選択できるログイン情報及び生徒宛のＥ−ＭＡＩＬを入力し、このログイン情報及び生徒宛のＥ−ＭＡＩＬを前記データ管理サーバーに送信するログイン情報送信手段と、このデータ管理サーバーから前記Ｅ−ＭＡＩＬにログイン情報にデータ管理サーバーが生徒を管理する管理用個別暗証番号を生成し、生徒がこれらログイン情報を受信するログイン情報受信手段と、
次回のＷＥＢサイトへアクセスする時にログインするこのパスワード、暗証番号を介してログインし、このＷＥＢサイトへログイン可能となる前記認証物入力手段と前記ログイン情報送信手段と前記ログイン情報受信手段の手段を介して、ＷＥＢサイトがログインできる認証手段と、
このＷＥＢサイトのトップページには、前記生徒が在校する学校に関する情報を詳細に表示する統合データベースアプリケーションに進行できる一般利用者リンク表示箇所と、生徒利用者のみが利用できる生徒利用者の個別データベースアプリケーションに進行できる生徒利用者リンク表示箇所とで構成する表示手段と、
この表示手段における総合データベースアプリケーションは、生徒に関する所定の生活情報を送信する送信手段及び／又は前記生徒に関する学校情報を受信する受信手段と、前記統合データベースに記録されているデータに関してＷＥＢブラウザで閲覧可能なコンテンツを提供するコンテンツ提供手段とで構成し、
この表示手段における個別データベースアプリケーションは、この個別データベースアプリケーションへの様々な個人情報の入出力を行う入出力手段と、生徒個人の情報を管理する管理手段とで構成し、
この前記認証手段、送信手段、受信手段、コンテンツ提供手段、入出力手段、管理手段により、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステム。
【請求項２】
このデータ管理サーバーにおける生徒の情報ネットワークを、イントラネットを構成してあり、イントラネットを介してインターネット網に接続してあり、この生徒は同じ学校の生徒、他の学校の生徒を中心とした、サークル、企業、店舗等の集合体及び／又は先輩、後輩、友人等の個体との交流が可能となり、円滑なコミュニケーションを可能としたことを特徴とする学校情報インターネットシステム。
【請求項３】
このＷＥＢサイトにログイン入力の許可を判断する前記認証手段におけるログイン情報送信手段及びログイン情報受信手段を、通信内容の暗号化を図るＳＳＬ認証方法で行い、このWebサーバーと生徒が使用している前記パソコン又は携帯電話端末等の通信機器が相互に確認を行いながら前記データの送受信するような方法で行うとし、この生徒が前記認証物確認手段を経てＷＥＢサイトにアクセス時に必要な暗証番号と認証に必要なパスワードとこの暗証番号とパスワードを生徒に送る確認用のＥ―ｍａｉｌとの項目をデータ管理サーバーに送信するログイン情報送信手段と、
これらの情報を前記データ管理用サーバーが記録しこのログイン情報送信手段により基づいて生成される個別認証番号を発行し、この記録項目と個別認証番号を前記Ｅ―ｍａｉｌにフラグ記号を加えて記録するログイン情報受信手段と、
このログイン情報受信手段により、生徒が個別認証番号に基づき暗証番号、パスワードを入力することにより、インターネット網を介して、統合データベースアプリケーション及び／又は個別データベースアプリケーションへアクセスすることが可能となり、第３者によるなりすましの防止を実行し、情報の漏洩を防ぎ、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステム。
【請求項４】
このＷＥＢサイトの個別データベースアプリケーションを実行時に、この個別データベースをＷＥＢサイト上に前記入出力手段を介して入力し、この入力した情報である氏名、名称、性別、学部、専攻科目等の個人情報を公開する項目を選択でき、この生徒の個人情報を他の学校の生徒、サークル、企業、店舗等の集合体及び／又は先輩、後輩、友人等の個体が閲覧した際に、生徒の個人情報で公開できる項目を匿名又は公開にすることで、その生徒の秘匿したい項目を保護することにより、個人情報の漏洩を防止し、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステム。
【請求項５】
このＷＥＢサイト上の統合データベースアプリケーション及び／又は個別データベースアプリケーションを実行時に、生徒しか閲覧できない表示箇所と企業、店舗等の生徒以外の集合体も閲覧できる表示箇所と選別をし、生徒側及び集合体の双方向から又は生徒側のみの一方向からの交流により、生徒の個人情報の漏洩を図り、匿名性を保護できることにより、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステム。
【請求項６】
この個別データベースアプリケーション及び／又は統合データベースアプリケーションは、インターネット網を介して、ＷＥＢサーバーと接続してあり、オンラインショッピング、オンラインバンキング等のオンライン通信を有益に利用でき、生徒のライフスタイルにおいて、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステム。
【発明の詳細な説明】
【技術分野】
【０００１】
本発明は、生徒にパソコンを介して、学校（大学・短大・専門学校等）の情報や、生徒に関連した情報サービスを、パソコンのＷＥＢブラウザを介してＷＥＢサイトを閲覧し、かつ、生徒自身が個別データベースアプリケーションを所有し、この個別データベースアプリケーションを介して、生徒にとって、比較的に歳が近い世代である同じ学校の生徒、他の学校の生徒を中心とした、サークル、先輩、後輩、友人等の個体及び企業、店舗等の集合体へのデータの送受信が可能となり、円滑なコミュニケーションを図ることを可能とした学校情報ネットワークシステムに関する。
【背景技術】
【０００２】
従来において、学校側の生徒側に対する情報伝達手段として、郵送及び／又は学内掲示板等で対応されており、学校側から様々な情報を伝達するには、生徒が遠隔地等に滞在する場合には、非常に困難である。また、学校内における学内掲示板による伝達手段は、学内に掲載されるため、生徒側がわざわざ学校まで出向き、休講や変更があることを知ることも多く、生徒にとって、極めて労に供する。また、郵送の場合においては、連絡を行うまでに時間がかかるため、すぐに知りたい情報でも知ることができず、直接電話をかけて、問い合わせを行うこと等もあり、費用もかかるし、不便で苦労する。一方、大学側も、授業に参加しない生徒への連絡がとれず、苦労していることが多い。緊急の課題が生じた場合に知らせたい場合前記のような理由から生徒一人一人へと完全に伝達するのは、難しい問題である。また、ゼミ、サークルにおいても、緊急連絡時に、連絡方法が限定されてしまう等の問題を抱えている。
【０００３】
そこで、この種の学校内における情報システムの先行文献の調査をしたので、これらの文献を列挙する。
【０００４】
文献（１）は、特開２００１−２４９９００号の「学内通信情報ネットワークシステム」であって、この発明は、学校及び生徒の情報に関するデータベース及び電子サーバーを用いて、携帯電話端末のオンラインサービスモードでインターネット網を介して、アクセスした際に電子サーバーにアクセスするか否かの判断を行う管理手段を備えた学内通信情報インターネットサービスであり、大学側及び企業側との生徒側との間で迅速かつ手軽にコミュニケーションを図ることを意図する。
【０００５】
また文献（２）は、特開２００２−２４１３０号の「インターネットを介する学校掲示板中継管理装置学校内情報管理システム」であって、この発明には、インターネット上に学校電子掲示板運営事業者の学校掲示板中継管理装置を設けて、会員制として学校業務管理者から生徒に対する学校業務の中継をＷｅｂ経由で行うためのデータベースと中継業務手段を設ける構成であって、生徒はインターネットを介して、携帯電話端末より学校掲示板を閲覧し、この学校からの告知の確実性・即時性を図り、利便性の向上を図ることを意図する。
【０００６】
【特許文献１】特開２００１−２４９９００号
【特許文献２】特開２００２−２９７６２３号
【発明の開示】
【発明が解決しようとする課題】
【０００７】
この文献（１）等は、原則として、学校及び生徒の情報に関するデータベース及び電子サーバーを用いて、携帯電話端末のオンラインサービスモードでインターネット網を介して、学校と企業との連絡を図ることを目的とするが、この学校と企業からの連絡が送られてくるが、その連絡が一方的であることがあり、生徒がこれを使用する場合に生徒同士の意見交換等のコミュニケーションが図れない、また、生徒が就職活動時等において、気になる企業がある場合において、その企業に対して、いちいちＵＲＬを探し出しサーバーを探さないといけない等の煩雑な作業が生じ、即時的に連絡を取ることができない問題点、を抱えると考えられる。
【０００８】
上記に鑑み、本発明は、請求項１〜請求項６に記載の如く、提供し、下記の効果の達成を意図する。
（イ）生徒が在学期間における間に学校在籍中にその学校における行事、例えば、入学式、卒業式、学園祭等の年間行事・その在籍中によって自分の希望予定である又は既に決定した履修表・この履修表に対応して作成される教授による休講情報・ゼミナール情報等、また、キャンパス情報として、専攻学部による生徒掲示板・所属している又は所属予定であるサークル情報・セミナー情報・地域交流プログラム、さらに学校情報以外にもアルバイト情報・緊急災害連絡等が閲覧可能であり、このＷＥＢサイトにアクセスするだけで、わざわざ学校に出向き、掲示板を閲覧しなくても、様々な情報が把握できる。
（ロ）さらに、企業サイトへのＷＥＢサーバーへもアクセス可能であるため、就職活動中及び／又は就職活動予定の生徒がその企業について、リクルート活動に役立つような情報を把握でき、さらに、その生徒の学校の卒業生で前記企業に就職しているＯＢ、ＯＧ等に対しても、連絡を図ることができ、就職活動に有利な情報を把握することができる。
（ハ）そして、統合データベースアプリケーションには、同じ学校の生徒、他の学校の生徒を中心とした生徒を個体としたサークル、企業、店舗等の集合体からもアクセス可能とするため、その生徒が所属する学校の特色や前記（ロ）で記載したキャンパス情報、サークル情報、セミナー情報等も知ることができる。
（ニ）個別データベースアプリケーションでは、リアルタイムで他の学校の生徒ともコミュニケーションを図ることが可能になり、さらに、生徒が公開した個人情報を介して、様々な情報を提供すること等である。
【課題を解決するための手段】
【０００９】
請求項１の発明は、前述の特徴である（イ）〜（ニ）を達成することを意図する。
【００１０】
請求項１は、大学、専門学校、短期大学等の学校における学校に入学してから卒業するまでの期間の在学期間に該当する生徒を対象とし、
生徒の情報ネットワークに接続されたデータ管理サーバー及びこのデータ管理サーバーにリンクするＷＥＢを格納するＷＥＢサーバーとで構成され、
このパソコン又は携帯電話端末による通信機器でＷＥＢサーバーに格納されているＷＥＢサイトへインターネット網を介してアクセスする工程に認証物入力手段とログイン情報送信手段とログイン情報受信手段の手段を設け、
生徒のみが確認できる場所又は他のＷＥＢサイト内に認証物を公表し、生徒が確認した認証物をそのＷＥＢサイトへアクセス時に入力する認証物入力手段と、
この認証物入力手段を介してＷＥＢサイトへの通信時に、生徒が任意に選択できるログイン情報及び生徒宛のＥ−ＭＡＩＬを入力し、このログイン情報及び生徒宛のＥ−ＭＡＩＬを前記データ管理サーバーに送信するログイン情報送信手段と、このデータ管理サーバーから前記Ｅ−ＭＡＩＬにログイン情報にデータ管理サーバーが生徒を管理する管理用個別暗証番号を生成し、生徒がこれらログイン情報を受信するログイン情報受信手段と、
次回のＷＥＢサイトへアクセスする時にログインするこのパスワード、暗証番号を介してログインし、このＷＥＢサイトへログイン可能となる前記認証物入力手段と前記ログイン情報送信手段と前記ログイン情報受信手段の手段を介して、ＷＥＢサイトがログインできる認証手段と、
このＷＥＢサイトのトップページには、前記生徒が在校する学校に関する情報を詳細に表示する統合データベースアプリケーションに進行できる一般利用者リンク表示箇所と、生徒利用者のみが利用できる生徒利用者の個別データベースアプリケーションに進行できる生徒利用者リンク表示箇所とで構成する表示手段と、
この表示手段における総合データベースアプリケーションは、生徒に関する所定の生活情報を送信する送信手段及び／又は前記生徒に関する学校情報を受信する受信手段と、前記統合データベースに記録されているデータに関してＷＥＢブラウザで閲覧可能なコンテンツを提供するコンテンツ提供手段とで構成し、
この表示手段における個別データベースアプリケーションは、この個別データベースアプリケーションへの様々な個人情報の入出力を行う入出力手段と、生徒個人の情報を管理する管理手段とで構成し、
この前記認証手段、送信手段、受信手段、コンテンツ提供手段、入出力手段、管理手段により、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００１１】
請求項２の発明は、請求項１の目的を達成すること、イントラネットを利用することにより、最適なデータ管理サーバーによるこのＷＥＢサーバーの運用ができることを意図する。
【００１２】
請求項２は、このデータ管理サーバーにおける生徒の情報ネットワークを、イントラネットを構成してあり、イントラネットを介してインターネット網に接続してあり、この生徒は同じ学校の生徒、他の学校の生徒を中心とした、サークル、企業、店舗等の集合体及び／又は先輩、後輩、友人等の個体との交流が可能となり、円滑なコミュニケーションを可能としたことを特徴とする学校情報インターネットシステムである。
【００１３】
請求項３の発明は、請求項１の目的を達成すること、ＳＳＬ認証方法を介し、最適な個別データアプリケーション及び／又は統合データベースアプリケーションのデータの通信を実行時に、データの漏洩を保護することにより、最適な学校情報インターネットシステムを構築することを意図する。
【００１４】
請求項３は、このＷＥＢサイトにログイン入力の許可を判断する前記認証手段におけるログイン情報送信手段及びログイン情報受信手段を、通信内容の暗号化を図るＳＳＬ認証方法で行い、このＷｅｂサイトと生徒が使用している前記パソコン又は携帯電話端末等の通信機器が相互に確認を行いながら前記データの送受信するような方法で行うとし、この生徒が前記認証物確認手段を経てＷＥＢサイトにアクセス時に必要な暗証番号と認証に必要なパスワードとこの暗証番号とパスワードを生徒に送る確認用のＥ―ｍａｉｌとの項目をデータ管理サーバーに送信するログイン情報送信手段と、
これらの情報を前記データ管理用サーバーが記録しこのログイン情報送信手段により基づいて生成される個別認証番号を発行し、この記録項目と個別認証番号を前記Ｅ―ｍａｉｌにフラグ記号を加えて記録するログイン情報受信手段と、
このログイン情報受信手段により、生徒が個別認証番号に基づき暗証番号、パスワードを入力することにより、インターネット網を介して、統合データベースアプリケーション及び／又は個別データベースアプリケーションへアクセスすることが可能となり、第３者によるなりすましの防止を実行し、情報の漏洩を防ぎ、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００１５】
請求項４の発明は、請求項１の目的を達成すること、個別データアプリケーション実行時に、生徒の個人情報の漏洩を防止することにより、最適な学校情報インターネットシステムを構築することを意図する。
【００１６】
請求項４は、このＷＥＢサイト上の個別データベースアプリケーションを実行時に、この個別データベースをＷＥＢサイト上に前記入出力手段を介して入力し、この入力した情報である氏名、名称、性別、学部、専攻科目等の個人情報を公開する項目を選択でき、この生徒の個人情報を他の学校の生徒、サークル、企業、店舗等の集合体及び／又は先輩、後輩、友人等の個体が閲覧した際に、生徒の個人情報で公開できる項目を匿名又は公開にすることで、その生徒の秘匿したい項目を保護することにより、個人情報の漏洩を防止し、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００１７】
請求項５の発明は、請求項１の目的を達成すること、統合データベースアプリケーション及び個別データアプリケーション実行時に、生徒の個人情報の漏洩を防止することにより、最適な学校情報インターネットシステムを構築することを意図する。
【００１８】
請求項５は、このＷＥＢサイト上の統合データベースアプリケーション及び／又は個別データベースアプリケーションを実行時に、生徒しか閲覧できない表示箇所と企業、店舗等の生徒以外の集合体も閲覧できる表示箇所と選別をし、生徒側及び集合体の双方向から又は生徒側のみの一方向からの交流により、生徒の個人情報の漏洩を図り、匿名性を保護できることにより、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００１９】
請求項６は、請求項１の目的を達成すること、統合データベースアプリケーション及び個別データアプリケーション実行時に、インターネット網を有効利用することにより、オンライン通信を最適に図り、最適な学校情報インターネットシステムを構築することを意図する。
【００２０】
請求項６は、この個別データベースアプリケーション及び／又は統合データベースアプリケーションは、インターネット網を介して、ＷＥＢサーバーと接続してあり、オンラインショッピング、オンラインバンキング等のオンライン通信を有益に利用でき、生徒のライフスタイルにおいて、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【発明の効果】
【００２１】
請求項１は、大学、専門学校、短期大学等の学校における学校に入学してから卒業するまでの期間の在学期間に該当する生徒を対象とし、
生徒の情報ネットワークに接続されたデータ管理サーバー及びこのデータ管理サーバーにリンクするＷＥＢを格納するＷＥＢサーバーとで構成され、
このパソコン又は携帯電話端末による通信機器でＷＥＢサーバーに格納されているＷＥＢサイトへインターネット網を介してアクセスする工程に認証物入力手段とログイン情報送信手段とログイン情報受信手段の手段を設け、
生徒のみが確認できる場所又は他のＷＥＢサイト内に認証物を公表し、生徒が確認した認証物をそのＷＥＢサイトへアクセス時に入力する認証物入力手段と、
この認証物入力手段を介してＷＥＢサイトへの通信時に、生徒が任意に選択できるログイン情報及び生徒宛のＥ−ＭＡＩＬを入力し、このログイン情報及び生徒宛のＥ−ＭＡＩＬを前記データ管理サーバーに送信するログイン情報送信手段と、このデータ管理サーバーから前記Ｅ−ＭＡＩＬにログイン情報にデータ管理サーバーが生徒を管理する管理用個別暗証番号を生成し、生徒がこれらログイン情報を受信するログイン情報受信手段と、
次回のＷＥＢサイトへアクセスする時にログインするこのパスワード、暗証番号を介してログインし、このＷＥＢサイトへログイン可能となる前記認証物入力手段と前記ログイン情報送信手段と前記ログイン情報受信手段の手段を介して、ＷＥＢサイトがログインできる認証手段と、
このＷＥＢサイトのトップページには、前記生徒が在校する学校に関する情報を詳細に表示する統合データベースアプリケーションに進行できる一般利用者リンク表示箇所と、生徒利用者のみが利用できる生徒利用者の個別データベースアプリケーションに進行できる生徒利用者リンク表示箇所とで構成する表示手段と、
この表示手段における総合データベースアプリケーションは、生徒に関する所定の生活情報を送信する送信手段及び／又は前記生徒に関する学校情報を受信する受信手段と、前記統合データベースに記録されているデータに関してＷＥＢブラウザで閲覧可能なコンテンツを提供するコンテンツ提供手段とで構成し、
この表示手段における個別データベースアプリケーションは、この個別データベースアプリケーションへの様々な個人情報の入出力を行う入出力手段と、生徒個人の情報を管理する管理手段とで構成し、
この前記認証手段、送信手段、受信手段、コンテンツ提供手段、入出力手段、管理手段により、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００２２】
従って、請求項１は、下記の特徴がある。
（イ）生徒が在学期間における間に学校在籍中にその学校における行事、例えば、入学式、卒業式、学園祭等の年間行事・その在籍中によって自分の希望予定である又は既に決定した履修表・この履修表に対応して作成される教授による休講情報・ゼミナール情報等、また、キャンパス情報として、専攻学部による生徒掲示板・所属している又は所属予定であるサークル情報・セミナー情報・地域交流プログラム、さらに学校情報以外にもアルバイト情報・緊急災害連絡等が閲覧可能であり、このＷＥＢサイトにアクセスするだけで、わざわざ学校に出向き、掲示板を閲覧しなくても、様々な情報が把握できる。
（ロ）さらに、企業サイトへのＷＥＢサーバーへもアクセス可能であるため、就職活動中及び／又は就職活動予定の生徒がその企業について、リクルート活動に役立つような情報を把握でき、さらに、その生徒の学校の卒業生で前記企業に就職しているＯＢ、ＯＧ等に対しても、連絡を図ることができ、就職活動に有利な情報を把握することができる。
（ハ）そして、統合データベースアプリケーションには、同じ学校の生徒、他の学校の生徒を中心とした生徒を個体としたサークル、企業、店舗等の集合体からもアクセス可能とするため、その生徒が所属する学校の特色や前記（ロ）で記載したキャンパス情報、サークル情報、セミナー情報等も知ることができる。
（ニ）個別データベースアプリケーションでは、リアルタイムで他の学校の生徒ともコミュニケーションを図ることが可能になり、さらに、生徒が公開した個人情報を介して、様々な情報を提供できること等である。
【００２３】
請求項２は、このデータ管理サーバーにおける生徒の情報ネットワークを、イントラネットを構成してあり、イントラネットを介してインターネット網に接続してあり、この生徒は同じ学校の生徒、他の学校の生徒を中心とした、サークル、企業、店舗等の集合体及び／又は先輩、後輩、友人等の個体との交流が可能となり、円滑なコミュニケーションを可能としたことを特徴とする学校情報インターネットシステムである。
【００２４】
従って、請求項２は、請求項１の目的を達成すること、イントラネットを利用することにより、最適なデータ管理サーバーによるこのＷＥＢサーバーの運用を提供できること等の特徴がある。
【００２５】
請求項３は、ＷＥＢサイトにログイン入力の許可を判断する前記認証手段におけるログイン情報送信手段及びログイン情報受信手段を、通信内容の暗号化を図るＳＳＬ認証方法で行い、このＷｅｂサイトと生徒が使用している前記パソコン又は携帯電話端末等の通信機器が相互に確認を行いながら前記データの送受信するような方法で行うとし、生徒が前記認証物確認手段を経てＷＥＢサイトにアクセス時に必要な暗証番号と認証に必要なパスワードとこの暗証番号とパスワードを生徒に送る確認用のＥ―ｍａｉｌとの項目をデータ管理サーバーに送信するログイン情報送信手段と、
これらの情報を前記データ管理用サーバーが記録しこのログイン情報送信手段により基づいて生成される個別認証番号を発行し、この記録項目と個別認証番号を前記Ｅ―ｍａｉｌアドレスにフラグ記号を加えて記録するログイン情報受信手段と、
ログイン情報受信手段により、生徒が個別認証番号に基づき暗証番号、パスワードを入力することにより、インターネット網を介して、統合データベースアプリケーション及び／又は個別データベースアプリケーションへアクセスすることが可能となり、第３者によるなりすましの防止を実行し、情報の漏洩を防ぎ、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００２６】
従って、請求項３の発明は、請求項１の目的を達成すること、ＳＳＬ認証方法を介し、最適な個別データアプリケーション及び／又は統合データベースアプリケーションのデータの通信を実行時に、データの漏洩を保護することにより、最適な学校情報インターネットシステムを構築できること等の特徴がある。
【００２７】
請求項４は、ＷＥＢサイト上の個別データベースアプリケーションを実行時に、個別データベースをＷＥＢサイト上に入出力手段を介して入力し、入力した情報である氏名、名称、性別、学部、専攻科目等の個人情報を公開する項目を選択でき、この生徒の個人情報を他の学校の生徒、サークル、企業、店舗等の集合体及び／又は先輩、後輩、友人等の個体が閲覧した際に、生徒の個人情報で公開できる項目を匿名又は公開にすることで、その生徒の秘匿したい項目を保護することにより、個人情報の漏洩を防止し、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００２８】
従って、請求項４の発明は、請求項１の目的を達成すること、個別データアプリケーション実行時に、生徒の個人情報の漏洩を防止することにより、最適な学校情報インターネットシステムを構築できること等の特徴がある。
【００２９】
請求項５は、ＷＥＢサイト上の統合データベースアプリケーション及び／又は個別データベースアプリケーションを実行時に、生徒しか閲覧できない表示箇所と企業、店舗等の生徒以外の集合体も閲覧できる表示箇所との選別をし、生徒側及び集合体の双方向から又は生徒側のみの一方向からの交流により、生徒の個人情報の漏洩を図り、匿名性を保護できることにより、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００３０】
従って、請求項５の発明は、請求項１の目的を達成すること、統合データベースアプリケーション及び個別データアプリケーション実行時に、生徒の個人情報の漏洩を防止することにより、最適な学校情報インターネットシステムを構築できること等の特徴がある。
【００３１】
請求項６は、この個別データベースアプリケーション及び／又は統合データベースアプリケーションは、インターネット網を介して、ＷＥＢサーバーと接続してあり、オンラインショッピング、オンラインバンキング等のオンライン通信を有益に利用でき、生徒のライフスタイルにおいて、生徒は同じ学校の生徒、他の学校の生徒を中心とした、サークル、企業、店舗等の集合体及び／又は先輩、後輩、友人等の個体への円滑なコミュニケーションを可能としたことを特徴とする学校情報インターネットシステムである。
【００３２】
従って、請求項６の発明は、請求項１の目的を達成すること、統合データベースアプリケーション及び個別データアプリケーション実行時に、インターネット網を有効利用することにより、オンライン通信を最適に図り、最適な学校情報インターネットシステムを構築できること等の特徴がある。
【発明を実施するための最良の形態】
【００３３】
本発明の実施の形態について説明する。図１は、本発明における学校通信情報ネットワークシステムのシステム構成図、図２は、本発明における認証手段の流れを示したフローチャート図、図３は、本発明におけるログイン情報送信手段及びログイン情報受信手段の一連の流れを示したフローチャート図、図４−１は、本発明における表示手段の一例を示した統合データベースアプリケーション及び／又は個別データベースアプリケーション実行時におけるログイン時の画面、図４−２は、本発明における表示手段の一例を示した統合データベースアプリケーション実行時におけるキャンパス情報を示す画面、図４−３は、本発明における表示手段の一例を示した個別データベースアプリケーション実行時における個人情報の画面、図４−４は、本発明における表示手段の一例を示した統合データベースアプリケーション実行時におけるキャンパス周辺の地図情報を示す画面、図４−５は、本発明における表示手段の一例を示した統合データベースアプリケーション実行時における企業とのオンラインショッピングにおける商品を示す画面、図５は、本発明のおける個別データアプリケーション及び統合データアプリケーションのアクセス工程を示した図、図６は、本発明における学校通信情報ネットワークシステム構成図、である。
【００３４】
この本発明におけるシステム構成を図１に基づいて説明をする。この学校通信情報ネットワークシステムは、生徒Ａと、大学、専門学校、短期大学、工業専門学校等の学校Ｂと、この学校Ｂに関連する外部ネットワークとして、学校Ｂと交流中である又は交流予定である他の学校Ｃと、学校Ｂに進学希望又は入学予定である高校Ｄと、学校Ｂから卒業見込みで就職希望又は興味を抱いている等であり、さらに、生徒Ａに対して商品広告等のアプローチ、訴求展開を行いたい企業Ｅ、この生徒Ａに対して学校Ｂに関する例えば、教科書等の商品の販売等を行う店舗Ｆと、この生徒Ａに対して学園祭、文化祭、体育祭、卒業式等の学校Ｂで開催されるイベントを生徒Ａに告知するイベント提供部Ｇと、学校Ｂに纏わる学校Ｂの情報を生徒Ａに対して提供する情報提供部Ｈとで、構成されている。この生徒Ａと学校Ｂと他の学校Ｃと高校Ｄと企業Ｅと店舗Ｆとイベント提供部Ｇと情報提供部Ｈは、全てインターネット網３０を介して、ネットワークにより構築されている。
【００３５】
なお、このネットワークによる構築には、ＷＥＢブラウザを介し、ＷＥＢを格納するＷＥＢサーバー１にてＷＥＢサイト１ａをパソコン２０上の画面もしくは携帯電話端末２１等の通信機器等上の画面にて表示させ、この画面を目視することで、生徒Ａは閲覧することが可能となる。なお、この目視による方法に加えて、ＷＥＢサーバー１に動画サーバー（図示しない）を追加し、詳細は後述するが、コンテンツ提供手段２５により、コンテンツを聴覚も併せて、この動画を楽しむことも可能な構造を設ける。
【００３６】
そして、このＷＥＢサイト１ａにおけるＷＥＢサーバー１には、生徒Ａの個人情報ＡＡを蓄積する生徒個々の情報ネットワークに接続されたデータ管理サーバー２がイントラネット３を介して、構築されている。なお、このデータ管理サーバー２には、例えばその生徒Ａが在籍している学校Ｂにおける在校生と同数の個別認証番号８３が生成されている。つまり、この個別認証番号８３を管理することで、このＷＥＢサイト１ａにアクセスしている生徒が、どの学校にいるどの生徒かということをこのデータ管理サーバー２を介して、把握できる。
【００３７】
そして、この個別認証番号８３に基づいて、生徒Ａが交流を図りたい同じ学校Ｂの生徒又は他の学校Ｃの生徒とＷＥＢサーバー１及びデータ管理サーバー２を介して、データの送受信を行い、コミュニケーションを図ることができる。なお、前記とＷＥＢサーバー１及び／又はデータ管理サーバー２をおこなう管理者Ｋがこのネットワーク構築の中に組み込まれる場合もある。
【００３８】
なお、図１に示すように、前期イントラネット３を介することにより、生徒Ａが同時に多数の生徒とコミュニケーションを図ることも可能であり、特定の趣味を持つ生徒同士集まることや同じ専攻科目で研究科目が同じ生徒同士等が進んでコミュニケーションを図れる。
【００３９】
また、生徒Ａは、このＷＥＢサーバー１を介して、生徒Ａ以外のこのＷＥＢサーバー１へとアクセスしたいネットワーク構築されている主体も、このインターネット網３０を介して、企業Ｅと店舗Ｆとイベント提供部Ｇと情報提供部Ｈ等とデータの送受信を行えるため、その生徒Ａは、例えば、企業Ｅにおいては、自分の興味のある企業情報、リクルート情報、採用情報等の企業に関する情報を、店舗Ｆにおいては、セール期間情報や店舗へのアクセス情報等を、イベント提供部Ｇにおいては、この学校Ｂの在校する学園祭、文化祭、体育祭、卒業式等のイベント情報を、情報提供部Ｈにおいては、学校Ｂに纏わる生徒Ａが在校する学校Ｂの情報又は生徒Ａが在校しないが交流のある又は交流予定の他の学校Ｂの情報の提供を受けることができる効果を生じる。そして、この生徒Ａは、企業Ｅとイベント提供部Ｇを同時に包括的にアクセスすることも可能である。また、図示しないが、このネットワーク構築の一環として、生徒Ａが在校期間中、例えると、大学で４年、短期大学で２年等のその在校期間は学校によって変動するが、この在校期間を卒業すると、生徒Ａは、この学校Ｂの卒業生というネットワークシステムの枠組に自動的に組み込まれる。この卒業生という枠組に組み込まれることにより、生徒Ａは、卒業生であるＯＢ、ＯＧにコミュニケーションを図り、前記企業Ｅについて、その企業Ｅには、直接聞きにくいようなことでも、きくことが可能となり、生徒Ａにとって、有益である。さらに、企業Ｅ以外にも、店舗Ｆとイベント提供部Ｇと情報提供部Ｈとも上記の卒業生を介して、コミュニケーションを図ることが可能である。
【００４０】
それでは、図２、図３をもとに、このＷＥＢサーバー１へアクセスする工程について、説明する。この工程は、大別すると、２工程に選別できる。前者を認証物入力手段５とし、後者をログイン情報送信手段６とログイン情報受信手段７とし、これらの認証物入力手段５と、ログイン情報送信手段６と、ログイン情報受信手段７とを総称して、認証手段８とする。
【００４１】
第一に認証物入力手段５について説明する。まず、図２のＳ１にあるように、このＷＥＢサイト１ａへアクセスしたい生徒Ａは、例えば、学校内における学内掲示板、学校内教室等生徒Ａしか立ち入れないような場所又は生徒Ａ専用のその学校Ｂに関連している他のＷＥＢサイト（図示しない）又は学校Ｂが管理をおこなっているような他のＷＥＢサイト（図示しない）等の生徒Ａしか侵入できない、確認できないような箇所に貼り付けてある認証物５０が公表されている。
【００４２】
そして、Ｓ２にあるように、生徒Ａは、認証物５０を確認する。なお、この認証物５０は、図形であったり、写真であったり、その形状、大きさ等は、不問とする。この認証物５０は、ＷＥＢサーバー１及び／又はデータ管理サーバー２を管理している前記管理者Ｋを介して、例えば、その更新期間を一週間毎に変更してもいいし、その貼り付ける場所を変更してもかまわないものとする。なお、この認証物５０の公表方法は、管理者Ｋにより、学校Ｂに在籍している生徒Ａ全員に伝達できる方法であれば、例えば、学内新聞、学内Ｅ−ｍａｉｉ、学内掲示板等であれば、問はない。
【００４３】
そうして、Ｓ３に示すように、認証物５０を確認した生徒Ａは、パソコン２０又は携帯電話端末２１等の通信機器により、インターネット網３０を介して、ＷＥＢサイト１ａへアクセスする。
【００４４】
Ｓ４では、図４−１に表示しているように、このＷＥＢサイト１ａに表示される表示画面に前記認証物５０を入力する。なお、この認証物５０の入力結果は、データ管理サーバー２へと送信され、この認証物５０の入力が正常であるならば、次工程のＳ５へ進行する。そして、認証物５０の入力異常、間違いが出たなら、前記データ管理サーバー２よりＳ２へと戻される。Ｓ２から生徒Ａはアクセスを始める構成となる。そして、このＳ１〜Ｓ５の認証物入力手段５と総称する。
【００４５】
この認証物入力手段５の工程を経た後の工程の認証手段８については、図３に詳細に説明したので、図２と照合しながら、説明を行う。
【００４６】
まず、図２のＳ６にあるように、ログイン情報送信手段６の工程を説明する。これは、説明の都合上図３にあるように、生徒Ａが利用するパソコン２０又は携帯電話端末２１等の等による通信機器から発信を行う生徒側と、管理者Ｋによるデータ管理サーバー２による管理側に分けて、説明する。この場合、図３には、Ｔ１として、生徒側から生徒Ａが任意に決めるパスワード８０と、第３者からの情報漏洩を図る暗証番号８１と、前記パソコン２０又は携帯電話端末２１等の等による通信機器から送信の際に必要となるＥ−ＭＡＩＬ８２を入力する。これらの入力した情報は、ＳＳＬ（ＳＥＣＵＲＥ  ＳＯＣＫＥＴ  ＬＡＹＥＲ）認証方法と呼ばれる方法で、インターネット網３０で暗号化して、データ管理サーバー２へ送信される。これがログイン情報入力手段６である。そして、この送信された情報は、この管理側に記載しているように、このデータ管理サーバー２で管理者Ｋがその生徒Ａに対して、生徒Ａの個別認証番号８３を生成する。
【００４７】
この個別認証番号８３について詳細に説明する。具体的な一例を挙げると、ある学校Ｂの生徒Ａに個別認証番号８３の生成について述べる。この個体認証番号８３は、例えば、５文字以上からなる数字の羅列で構成されている。そして、この個体認証番号８３の頭文字の数字を生徒Ａなら１、高校生なら２、企業なら３、店舗なら４という細分化を行う。そして、この頭文字から２番目の数字を同様に分類する。例えば、ある学校Ｂなら１、他のある学校Ｃなら２、さらに他のある学校Ｃなら３という細分化を行う。そして、頭文字から３番目の数字を同様に分類する。例えば、学部ごとで、法学部なら１、経済学部なら２、社会学部なら３という細分化を行う。このような細分化を行うことにより、管理者Ｋによるデータ管理サーバー２の管理の容易化、時間の短縮化を生じ、さらに、このため、多くの生徒ＡがＷＥＢサイト１ａにアクセスが集中した場合でも混乱を生じることなく、ＷＥＢサイト１ａのデータ管理が可能となる。なお、この個体認証番号８３は、例示したように、数字以外にも英語、記号、漢字、等が考えられ、管理者Ｋにより、細分化が行われるものとする。この個体認証番号８３の認証判断については、後述する。
【００４８】
次の工程として、このログイン情報送信手段６の次工程にログイン情報受信手段７がある。このログイン情報受信手段７は、図２ではＳ７であり、図３ではＴ２である。これは、データ管理サーバー２により生成した個体認証番号８３を前記パスワード８０と暗証番号８１とフラグ記号８４を併せて生徒ＡのＥ−ＭＡＩＬ８２宛に送信する。生徒Ａは、換言すれば、この個体認証番号８３とパスワード８０と暗証番号８１を受信する。この工程がログイン情報受信手段７である。
【００４９】
そして、図３のＴ３にあるように、データ管理サーバー２から受信されるＥ−ＭＡＩＬ８２には、個体認証番号８３に基づくパスワード８０と暗証番号８１の整合性を必要とし、
この整合性が正常となったときのみにログイン可能となり、このパスワード８０と暗証番号８１を入力するＷＥＢサイト１ａにアクセスできるＷＥＢサーバー１が記載されており、インターネット網３０を介して、ＷＥＢサーバー１へアクセスすることで、図４−１のような表示手段１４において、ログイン画面が表示される。そして、生徒Ａが、この画面に前記パスワード８０と暗証番号８１を入力することで、このパスワード８０と暗証番号８１のデータは、データ管理サーバー２へ送信される。管理側では、このデータ管理サーバー２によるパスワード８０と暗証番号８１の認証を行うものとする。
【００５０】
なお、この認証については、図２のＳ８にあてはまる。このＳ８の認証が例えば、暗証番号８１が異なっている、異常である等の判断を受けた場合は、Ｓ２へと戻される。そして、このパスワード８０と暗証番号８１が正常な場合ＷＥＢサイト１ａへログインが可能となる。このログイン可能となる工程で始めて、統合データベースアプリケーション９０及び／又は個別データベースアプリケーション９１にアクセスできる。これは、図２のＳ９に示してある。このようなＳ６〜Ｓ９をログイン情報送信手段６とログイン情報受信手段７と称する。
【００５１】
そして、この前記認証物入力手段５と、ログイン情報送信手段６と、グイン情報受信手段７とを総称して、認証手段８と称する。そして、この認証手段８は、第３者の不正アクセス防止のために、生徒Ａが、時宜において、前記パスワード８０と暗証番号８１を変更する場合においても図２で示すＳ１〜Ｓ９のような所作を行う。
【００５２】
なお、この認証手段８は、初回ログイン時に発生するものであり、次回以降（２回目からのログイン）に関しては、認証物入力手段５の工程は必要なく、ログイン情報送信手段６とログイン情報入力手段７でログイン可能とする。これは、個体認証番号８３が生成されているのに、認証物５０を生徒Ａが前述の所作により、確認することは、生徒側及び管理側にとっても手間な作業であり、また、個体認証番号８３を新たに生成することは、有益ではない。
【００５３】
前述の認証手段８を経て、ＷＥＢサイト１ａへログインできた生徒Ａは、表示手段１４により表示される統合データベースアプリケーション９０及び／又は個別データベースアプリケーション９１が表示されるトップページに表示される。この表示手段１４には、生徒Ａがログインした際進行できる個別データベースアプリケーション９１が表示され、一般利用者である高校Ｄ、企業Ｅ、店舗Ｆがログインした際は、この個別データベースアプリケーション９１には、進行できないような規制がされている。これは、前述した個体認証番号８３を利用して、管理者Ｋが行うものである。
【００５４】
この個体認証番号８３に基づく認証判断について、図５を使用して説明する。前述したように、個体認証番号８３は、その生徒Ａが利用する際は、前記の一例を引用すると、生徒という分類が数字の１で示され、それ以外の一般利用者が利用する場合は、その数字が２，３・・等という１以外の番号が表示される。この頭文字に１以外の番号を判別することにより、この利用者が、生徒Ａか否かがデータ管理サーバー２の個体認証番号８３より判断できる。そして、この個体認証番号８３で判断することにより、前記個別データベースアプリケーション９１へのアクセスを許可又は拒否という判断が下せるようになるのである。
【００５５】
言い換えれば、この表示手段１４の認証の判断からも理解できるように、個別データベースアプリケーション９１には、生徒Ａのみがアクセスできることになり、生徒Ａ以外の一般利用者には、個別データベースアプリケーション９１には、アクセスすることが不可能となる。
【００５６】
表示手段１４には、個別データベースアプリケーション９１及び統合データベースアプリケーション９０で構成されているので、これら２種類のデータベースアプリケーションについての説明を行う。
【００５７】
まず、統合データベースアプリケーション９０には、生徒Ａの所属する学校又は生徒Ａが関心のある学校についての様々な情報が掲載されており、これらの情報は、生徒Ａと、大学、専門学校、短期大学、工業専門学校等の学校Ｂと、この学校Ｂに関連する外部ネットワークとして、学校Ｂと交流中である又は交流予定である他の学校Ｃと、学校Ｂに進学希望又は入学予定である高校Ｄと、学校Ｂから卒業見込みで就職希望又は生徒Ａに対して商品広告等のアプローチ、訴求展開を行いたい企業Ｅ、この生徒に対して商品の販売等を行う店舗Ｆと、この生徒に対して学園祭、文化祭、体育祭、卒業式等の学校Ｂで開催されるイベントを告知するイベント提供部Ｇと、学校Ｂに纏わる学校Ｂの情報を提供する情報提供部Ｈとで、構成されている。この生徒Ａと学校Ｂと他の学校Ｃと高校Ｄと企業Ｅと店舗Ｆとイベント提供部Ｇと情報提供部Ｈについての情報が掲載されており、これらの情報をＷＥＢサーバー１を介して、時系列的に更新していくこれらの情報データの送信手段２３及び／又はこれらの情報データをパソコン２０パソコン２０又は携帯電話端末２１等の等による通信機器による受信手段２４と、これらの情報をデータで記録していき、生徒Ａが閲覧したい時に閲覧するコンテンツを選択してコンテンツ提供手段２５で成立する。なお、このコンテンツ提供手段２５を介し、オンライン通信を図り、オンラインバンキング、オンラインショッピング等を利用し、生徒Ａが学校Ｂやその他に関連するものに関して、包括的に把握でき、入手できることが可能である。
【００５８】
コンテンツ提供手段２５は、管理者Ｋが学校Ｂからのお知らせ等を逐一更新することも可能であり、休講の場合等も、わざわざ生徒Ａが学校まで出向かなくても、パソコン２０又は携帯電話端末２１等の等による通信機器から閲覧できる効果を生じる。
【００５９】
このコンテンツ提供手段２５は、前記送信手段２３及び／又は受信手段２４により、取捨選択されている生徒Ａに関する大量の情報データをきれいに細分化して記録しておき、この記録を何時でも即時的に取り出すことができる手段である。
【００６０】
次に、個別データベースアプリケーション９１について説明する。この生徒Ａには、図示するように、この生徒専用の個人情報ＡＡを記した公開ページがあり、この公開ページには、この生徒Ａに関する個人情報が掲載されている。この個人情報は、例えば、氏名、出身地、現住所、出身高校、性別、専攻科目、研究課題・・等の情報項目が挙げられる。この個人情報ＡＡの項目には、これらの項目の入出力を行う入出力手段２６と、これらの項目を管理する管理手段２７で構成されており、この管理手段及び／又は入出力手段で公開ページの管理を行う。なお、この公開ページにおける項目は、第３者に漏洩防止のためにも、例えば、「全て公開する」、「生徒まで公開」、「学校関係者まで公開」等を選択することができ、この生徒Ａのプライバシーを生徒Ａが希望する状態で、保護することができる。これらの３段階にまで公開の度合いを選択することにより、生徒ＡがこのＷＥＢサイト１ａを安心して活用でき、同じ学校Ｂの生徒、この学校Ｂに関連する外部ネットワークとして、学校Ｂと交流中である又は交流予定である他の学校Ｃの生徒、学校Ｂに進学希望又は入学予定である高校Ｄの生徒、学校Ｂから卒業見込みで就職希望又は生徒Ａに対して商品広告等のアプローチ、訴求展開を行いたい企業Ｅの社員等、この生徒に対して商品の販売等を行う店舗Ｆ等と、円滑なコミュニケーションを図ることが可能となる。
【００６１】
そして、図６に示すように、このＷＥＢサイト１ａに設けた認証手段８、送信手段２３、受信手段２４、コンテンツ提供手段２５、入出力手段２６、管理手段２７により、生徒Ａは同じ学校Ｂの生徒、他の学校Ｃの生徒を中心とした、サークル、企業、店舗等の集合体及び／又は先輩、後輩、友人等の個体への円滑なコミュニケーションを可能とする。なお、このＷＥＢサイト１ａに設けた学校Ｂを架空の集合体と仮定して、このＷＥＢサイト１ａにアクセスできる生徒Ａを限定し、この集合体内で、円滑にコミュニケーションを図り、さらに、架空の集合体として、機能するために、生徒Ａは，ゲーム感覚でこのＷＥＢサイト１ａにアクセスでき、有効利用することも考えられる。
【図面の簡単な説明】
【００６２】
【図１】図１は、本発明における学校通信情報ネットワークシステムのシステム構成図
【図２】図２は、本発明における認証手段の流れを示したフローチャート図
【図３】図３は、本発明におけるログイン情報送信手段及びログイン情報受信手段の一連の流れを示したフローチャート図
【図４−１】図４−１は、本発明における表示手段の一例を示した統合データベースアプリケーション及び／又は個別データベースアプリケーション実行時におけるログイン時の画面
【図４−２】図４−２は、本発明における表示手段の一例を示した統合データベースアプリケーション実行時におけるキャンパス情報を示す画面
【図４−３】図４−３は、本発明における表示手段の一例を示した個別データベースアプリケーション実行時における個人情報の画面
【図４−４】図４−４は、本発明における表示手段の一例を示した統合データベースアプリケーション実行時におけるキャンパス周辺の地図情報を示す画面
【図４−５】図４−５は、本発明における表示手段の一例を示した統合データベースアプリケーション実行時における企業とのオンラインショッピングにおける商品を示す画面
【図５】図５は、本発明のおける個別データアプリケーション及び統合データアプリケーションのアクセス工程を示した図
【図６】図６は、本発明における学校通信情報ネットワークシステム構成図
【符号の説明】
【００６３】
Ａ        生徒
ＡＡ      個人情報
Ｂ        学校
Ｃ        他の学校
Ｄ        高校
Ｅ        企業
Ｆ        店舗
Ｇ        イベント提供部
Ｈ        情報提供部
Ｋ        管理者
３０      インターネット網
１        ＷＥＢサーバー
１ａ      ＷＥＢサイト
２        データ管理サーバー
３        イントラネット
２０      パソコン
２１      携帯電話端末
５        認証物入力手段
６        ログイン情報送信手段
７        ログイン情報受信手段
８        認証手段
１４      表示手段
２３      送信手段
２４      受信手段
２５      コンテンツ提供手段
２６      入出力手段
２７      管理手段
５０      認証物
８０      パスワード
８１      暗証番号
８２      Ｅ−ＭＡＩＬ網
８３      個別認証番号
８４      フログ記号
９０      統合データベースアプリケーション
９１      個別データベースアプリケーション
【図１】
2009009529.tif 000003
【図２】
2009009529.tif 000004
【図３】
2009009529.tif 000005
【図４−１】
2009009529.tif 000006
【図４−２】
2009009529.tif 000007
【図４−３】
2009009529.tif 000008
【図４−４】
2009009529.tif 000009
【図４−５】
2009009529.tif 000010
【図５】
2009009529.tif 000011
【図６】
2009009529.tif 000012